(57)【要約】【課題】販売されている宝くじの番号の確認を可能とした宝くじの販売システムを提供する。【解決手段】宝くじ販売システム１００では、販売管理部１０４が、番号情報蓄積部１０２を参照し、購入可能な宝くじの番号情報を、端末装置１２１に対して送出する。端末装置１２１には、「普通宝くじ」の番号情報が送出され、これらが端末装置１２１に受け付けられると、端末装置１２１の図示しない表示部には、購入可能な宝くじの番号が表示される。【選択図】  図１
2005190021.tif 000002
【特許請求の範囲】
【請求項１】
広域通信網の上で利用者に宝くじを販売する宝くじ販売システムにおいて、
販売対象の宝くじにあらかじめ割り当てられた抽選対象の番号を含む情報を記録する番号情報蓄積部と、
前記広域通信網を介して接続された前記利用者が利用する端末装置より送出された宝くじ購入の要求を受け付ける受付管理部と、
この受付管理部が受け付けた前記端末装置に対して前記番号情報蓄積部に記録されている販売可能な宝くじの番号情報を送出する販売管理部と
を少なくとも備えたことを特徴とする宝くじ販売システム。
【請求項２】
請求項１記載の宝くじ販売システムにおいて、
前記販売管理部は、
送出された前記販売可能な宝くじの番号情報の中で、前記端末装置より送出された番号情報で特定される宝くじは、前記番号情報蓄積部において販売対象外の状態にする
ことを特徴とする宝くじ販売システム。
【発明の詳細な説明】
【技術分野】
【０００１】
本発明は、インターネットなどのネットワークを介して宝くじを販売する宝くじの販売システムに関する。
【背景技術】
【０００２】
従来より、インターネットなどのネットワークに接続された端末装置を利用し、宝くじを販売するシステムが提案されている（特許文献１，２，３，４，５，６参照）。
【０００３】
なお、出願人は、本明細書に記載した先行技術文献情報で特定される先行技術文献以外には、本発明に関連する先行技術文献を出願時までに発見するには至らなかった。
【特許文献１】特開２００１−２９０９０４号公報
【特許文献２】特開２００１−３５０８７３号公報
【特許文献３】特開２００２−００７６３１号公報
【特許文献４】特開２００２−０７４４４１号公報
【特許文献５】特開２００２−１２３６４６号公報
【特許文献６】特開２００３−０９１６１４号公報
【発明の開示】
【発明が解決しようとする課題】
【０００４】
しかしながら、従来のシステムでは、数字選択式ではない販売されている宝くじの番号を確認した上で、購入を決定することが容易ではなかった。
本発明は、以上のような問題点を解消するためになされたものであり、販売されている宝くじの番号の確認を可能とした宝くじの販売システムを提供することを目的とする。
【課題を解決するための手段】
【０００５】
本発明に係る宝くじ販売システムは、広域通信網の上で利用者に宝くじを販売する宝くじ販売システムにおいて、販売対象の宝くじにあらかじめ割り当てられた抽選対象の番号を含む情報を記録する番号情報蓄積部と、広域通信網を介して接続された利用者が利用する端末装置より送出された宝くじ購入の要求を受け付ける受付管理部と、この受付管理部が受け付けた端末装置に対して番号情報蓄積部に記録されている販売可能な宝くじの番号情報を送出する販売管理部とを少なくとも備えたものである。
このシステムによれば、端末装置に購入可能な宝くじの番号が表示される。
【０００６】
上記宝くじ販売システムにおいて、販売管理部は、送出された販売可能な宝くじの番号情報の中で、端末装置より送出された番号情報で特定される宝くじは、番号情報蓄積部において販売対象外の状態にする。
【発明の効果】
【０００７】
以上説明したように、本発明によれば、宝くじの購入を希望する利用者が操作する端末装置において、購入可能な宝くじの番号が表示されるので、利用者にとって、販売所に出向くことなく、販売されている宝くじの番号の確認を可能な状態で、宝くじの購入が可能となるという優れた効果が得られる。
【発明を実施するための最良の形態】
【０００８】
以下、本発明の実施の形態について図を参照して説明する。
図１は、本発明の実施の形態における宝くじ販売システムの構成例を示す構成図である。図１に示す宝くじ販売システム１００は、利用者情報蓄積部１０１と番号情報蓄積部１０２と受付管理部１０３と販売管理部１０４と決済管理部１０５とから構成されている。また、宝くじ販売システム１００は、インターネット１２０を介して複数の端末装置１２１に接続している。なお、インターネット１２０に限らず、他の広域通信網を用いるようにしてもよいことはいうまでもない。
【０００９】
利用者情報蓄積部１０１は、会員となっている利用者の情報が蓄積（記録）されているデータベースである。利用者情報は、例えば、住所，氏名，年齢，会員番号，利用者識別子，パスワード，決済金融機関情報，電子メールアドレスなどである。
番号情報蓄積部１０２は、宝くじ販売システム１００で管理している「普通宝くじ」の種別及び番号、購入申し込み情報などの情報が蓄積（記録）されているデータベースである。「普通宝くじ」の種別は、例えば、全国自治，地方自治の区別や、回数などである。また、番号は、組数を含んだ宝くじ番号である。なお、「普通宝くじ」は、あらかじめ割り当てられた抽選対象の番号（宝くじの番号）が、印刷されている宝くじのことである。
【００１０】
受付管理部１０３は、端末装置１２１から受け付けた利用者情報を照合し、端末装置１２１からの宝くじの購入要求を受け付け、受け付けた情報を管理する。
販売管理部１０４は、受付管理部１０３が受け付けた購入要求により、対象の端末装置１２１に対して購入可能な「普通宝くじ」の宝くじ番号を含む情報を送出する。販売管理部１０４は、対象の端末装置１２１に対し、利用者が視認可能な形態で宝くじ番号の情報を送出する。
【００１１】
また、販売管理部１０４は、送出した宝くじ番号の中より選択されて購入希望の通知を受け付けた「普通宝くじ」について、番号情報蓄積部１０２に蓄積されている対象の情報を販売済みの状態に変更するなど、購入の受付を行う。
決済管理部１０４は、販売管理部１０４が購入を受け付けた「普通宝くじ」の販売代金を、購入した利用者（会員）の情報として登録されている金融機関の口座より振り替えるなどの決済を行う。
【００１２】
なお、販売システム１００は、コンピュータ機能を備えたサーバであり、上述した各機能を、所定のプログラムにより実現している。上記サーバは、例えば、ＣＰＵと主記憶装置と外部記憶装置とネットワーク接続装置とから構成され、外部記憶装置に記録されているプログラムを主記憶装置に展開し、主記憶装置に展開されたプログラムによりＣＰＵが動作し、プログラムの機能を実現する。
【００１３】
次に、図１の宝くじ半場システム１００の動作例について、図２のフローチャートを用いて説明する。
ステップＳ２０１で、端末装置１２１より送出された宝くじ購入要求を受け付けると、宝くじ販売システム１００では、受付管理部１０３が、会員情報の送出要求を端末装置１２１に対して送出する（ステップＳ２０２）。
【００１４】
ステップＳ２０２における情報の送出要求に対し、端末装置１２１から送出された会員情報を受け付けると（ステップＳ２０３）、宝くじ販売システム１００では、受付管理部１０３が、利用者情報蓄積部１０１に蓄積されている会員情報を参照し、受け付けた会員情報の照合を行う（ステップＳ２０４）。
ステップＳ２０４の確認で、受け付けた会員情報が受付管理部１０３に認証されると、販売管理部１０４が、番号情報蓄積部１０２に蓄積されている情報を参照し、販売可能な「普通宝くじ」の情報を、端末装置１２１に対して送出する（ステップＳ２０５）。
【００１５】
上述のことにより、端末装置１２１に「普通宝くじ」の概略的な情報が送出され、送出された情報が端末装置１２１に受け付けられると、端末装置１２１の図示しない表示部には、例えば、図３に示すように、購入可能な宝くじに関する情報が表示される。
このような表示の中で、端末装置１２１の利用者（会員）による操作により、表示画面中の「さらに詳しい情報」が選択されると、詳細情報の要求が宝くじ販売システム１００に対して送出される。
【００１６】
上述した詳細情報の要求を受け付けると（ステップＳ２０６）、宝くじ販売システム１００では、販売管理部１０４が、番号情報蓄積部１０２を参照し、購入可能な宝くじの番号情報を、端末装置１２１に対して送出する（ステップＳ２０７）。
上述のことにより、端末装置１２１に「普通宝くじ」の番号情報が送出され、番号情報が端末装置１２１に受け付けられると、端末装置１２１の図示しない表示部には、例えば、図４に示すように、購入可能な宝くじの番号が表示される。
【００１７】
図４には、宝くじを１０枚単位の連番で購入する場合の表示例を示している。このような表示がされた端末装置１２１において、利用者の操作により、購入を希望する口の左側の「する」が選択されると、図５に示すように、選択された「する」の部分の表示が変更する。まあ、利用者の操作により、購入を希望しない口の左側の「しない」が選択されると、図５に示すように、選択された「しない」の部分の表示が変更する。
【００１８】
以上のことにより、端末装置１２１においては、利用者の希望による購入対象の情報が蓄積されたことになる。購入対象の情報が蓄積された後、利用者の操作により、購入対象の番号情報が宝くじ販売システム１００に対して送出されると、これを受け付けた宝くじ販売システム１００で（ステップＳ２０８）、販売管理部１０４が、購入を受け付け（ステップＳ２０９）、また、購入対象の番号の宝くじは販売対象から除外するなど、番号情報蓄積部１０２に蓄積されている宝くじ情報を変更する（ステップＳ２１０）。
【００１９】
ついで、宝くじ販売システム１００では、決済管理部１０５が、例えば、利用者が契約している銀行（図示せず）に販売代金などの金額を要求する。この結果、上記銀行お利用者の預金が保管されインターネット１２０を介した金銭の取引の請け合い（決済）を行うための電子的な口座（図示せず）より、所定の金融機関の口座へ、上記金額が振り替えられる（ステップＳ２１１）。金額の振り替えを確認すると、宝くじ販売システム１００では、販売管理部１０４が、購入を受け付けたことを端末装置１２１に対して通知する（ステップＳ２１２）。
【００２０】
この後、例えば、宝くじの当選番号が発表され、販売された「普通宝くじ」の番号内に当選した番号があると、販売管理部１０４は、該当する「普通宝くじ」を購入した利用者の端末装置１２１に対し、当選の通知を行う。また、当選の通知を行った後、例えば決済管理部１０５が、上述した利用者の電子的な口座に、当選金の入金を行う。
【００２１】
以上に説明したように、図１に示す宝くじ販売システム１００によれば、利用者は、販売されている宝くじの番号の確認したうえで宝くじが購入できるようになる。
なお、上述では、１０枚ずつの連番で販売する場合を例に説明したが、これに限るものではなく、１枚ずつ販売するようにしてもよい。
【図面の簡単な説明】
【００２２】
【図１】本発明の実施の形態における宝くじ販売システムの構成例を示す構成図である。
【図２】図１に示す宝くじ販売システムの動作例を示すフローチャートである。
【図３】図１に示す宝くじ販売システムを利用する利用者の端末装置における表示例である。
【図４】図１に示す宝くじ販売システムを利用する利用者の端末装置における表示例である。
【図５】図１に示す宝くじ販売システムを利用する利用者の端末装置における表示例である。
【符号の説明】
【００２３】
１００…宝くじ販売システム、１０１…利用者情報蓄積部、１０２…番号情報蓄積部、１０３…受付管理部、１０４…販売管理部、１０５…決済管理部、１２０…インターネット、１２１…端末装置。
【図１】
2005190021.tif 000003
【図２】
2005190021.tif 000004
【図３】
2005190021.tif 000005
【図４】
2005190021.tif 000006
【図５】
2005190021.tif 000007